(57)【要約】【課題】  非床下げ領域の面積を容易に変更可能であり、非床下げ領域の面積の変更に用いる部材を有効利用可能な居室の床構造を提供する。【解決手段】  居室の床構造１は、床下げ部Ｘの段差寸法に対応した高さ寸法を有する複数の略直方体形状の箱１００及び２００を、非床下げ領域Ｒを拡張するために床下げ部Ｘに設置、或は、非床下げ領域Ｒを縮小するために床下げ部Ｘから除去することで、非床下げ領域Ｒの面積を変更可能となっている。非床下げ領域Ｒを拡張しない状態において、箱１０の箱本体部１００及び箱２０の箱本体部２００は、蓋部が外されて開口部１００ａ及び２００ａを横方向に向けた状態で、横方向或いは上下方向に並べて配列され、収納棚や間仕切り等として利用可能となっている。【選択図】図５
2014015736.tif 000002
【特許請求の範囲】
【請求項１】
床下げ部の段差寸法に対応した高さ寸法を有する複数の略直方体形状の箱を、非床下げ領域を拡張するために前記床下げ部に設置、或は、前記非床下げ領域を縮小するために前記床下げ部から除去することで、前記非床下げ領域の面積を変更可能な居室の床構造であって、
前記箱は、
内部に収容部が形成されると共に、前記床下げ部に設置された状態で上面に開口部が設けられた箱本体部と、
前記開口部を着脱自在に覆う蓋部と、
を備え、
前記非床下げ領域を拡張しない状態において、前記箱本体部は、前記蓋部が外されて前記開口部を横方向に向けた状態で、横方向或いは上下方向に並べて配列可能となっている、居室の床構造。
【請求項２】
前記床下げ部には、蹴上寸法が一定の階段部が設けれ、
前記床下げ部に設置された状態で、前記箱の高さ寸法は前記蹴上寸法と一致し、
前記箱は、前記階段部において前記階段部の段数に応じた数を積み重ねることで、前記非床下げ領域を拡張可能となっている、
請求項１に記載の居室の床構造。
【請求項３】
前記箱の幅寸法又は奥行寸法のうち少なくともいずれかは、前記床下げ部の段差寸法に対応している、請求項１又は２に記載の居室の床構造。
【請求項４】
前記箱本体部のそれぞれの側板の厚さは同じであり、
前記箱本体部の底板は上げ底状に設けられて、前記底板の下面よりも前記側板の下端が突出し、
前記箱本体部は、前記開口部を横方向に向けて横方向或いは上下方向に並べて配列された状態で、隣接する前記箱本体部の側板同士をクリップで挟持することで互いに連結可能となっている、
請求項１〜３のいずれか一項に記載の居室の床構造。
【請求項５】
前記クリップは、隣接する前記箱本体部の側板における前記底板側の端縁部同士、又は、隣接する前記箱本体部の側板における前記開口部側の端縁部同士を挟持可能となっている、請求項４に記載の居室の床構造。
【請求項６】
前記クリップは、隣接する前記箱本体部のうち、一方の前記箱本体部の側板における前記底板側の端縁部と、他方の前記箱本体部の側板における前記開口部側の端縁部と、を挟持可能となっている、請求項４又は５に記載の居室の床構造。
【請求項７】
前記クリップは、
前記側板の厚さ寸法の略２倍の離間寸法を有する一対の挟持片、及び、前記挟持片同士を連結する連結片とから成る略コ字状断面の本体部と、
一方の前記挟持片に穿設されたネジ孔に螺入されて前記側板を押圧する固定用ネジと、
を備える、請求項４〜６のいずれか一項に記載の居室の床構造。
【発明の詳細な説明】
【技術分野】
【０００１】
本発明は、建物内の居室の床構造に関するものである。
【背景技術】
【０００２】
従来、居間等の居室において、一部の床面を下げることによって異なる床レベルの床面を形成することが行われている。また、例えば、特許文献１には、通常の床部に、移動可能な複数の床ユニットを配置して、床面を高くすることにより、異なる床レベルの床面を形成する構成が記載されている。
【先行技術文献】
【特許文献】
【０００３】
【特許文献１】特開２００２−３７１６９１号公報
【発明の概要】
【発明が解決しようとする課題】
【０００４】
異なる床レベルの床面を形成するために、一部の床面を下げて下げ床部を形成した場合、一旦、床下げ部を形成するとその領域を変更することは容易ではない。また、特許文献１に記載されているように、床ユニットを用いて異なる床レベルの床面を得る場合、床ユニットの非使用時、即ち、異なる床レベルの床面が必要でない場合には、床ユニットの収納スペースを確保する必要がある。
【０００５】
そこで本発明は、このような従来技術の有する課題を解決するものであり、非床下げ領域の面積を容易に変更可能であり、非床下げ領域の面積の変更に用いる部材を有効利用可能な居室の床構造を提供することを目的とする。
【課題を解決するための手段】
【０００６】
上記課題を解決すべく、本発明に係る居室の床構造は、床下げ部の段差寸法に対応した高さ寸法を有する複数の略直方体形状の箱を、非床下げ領域を拡張するために床下げ部に設置、或は、非床下げ領域を縮小するために床下げ部から除去することで、非床下げ領域を変更可能な居室の床構造であって、箱は、内部に収容部が形成されると共に、床下げ部に設置された状態で上面に開口部が設けられた箱本体部と、開口部を着脱自在に覆う蓋部と、を備え、非床下げ領域を拡張しない状態において、箱本体部は、蓋部が外されて開口部を横方向に向けた状態で、横方向或いは上下方向に並べて配列可能となっている。
【０００７】
この発明では、床下げ部の段差寸法に対応した高さ寸法の箱を床下げ部に設置、或は、床下げ部から除去することで、非床下げ領域の面積を容易に変更することができる。また、非床下げ領域を拡張しない場合には、蓋部を取り外した箱本体部を、開口部を横方向に向けて、横方向或いは上下方向に並べて配置することで、非床下げ領域の面積の変更に用いる部材としての箱本体部を、収納棚や間仕切りとして有効利用することができ、箱本体部の収納スペースの確保が不要となる。
【０００８】
床下げ部には、蹴上寸法が一定の階段部が設けれ、床下げ部に設置された状態で、箱の高さ寸法は前記蹴上寸法と一致し、箱は、階段部において階段部の段数に応じた数を積み重ねることで、非床下げ領域を拡張可能となっている、ことが好ましい。この場合には、階段部にも非床下げ領域と同じ床レベルの床面を形成することができる。
【０００９】
箱の幅寸法又は奥行寸法のうち少なくともいずれかは、床下げ部の段差寸法に対応している、ことが好ましい。これにより、箱本体部の開口部を横方向に向けて床下げ部に設置した場合にも、非床下げ領域と床レベルが同じ床面を形成することができる。
【００１０】
箱本体部のそれぞれの側板の厚さは同じであり、箱本体部の底板は上げ底状に設けられて、底板の下面よりも側板の下端が突出し、箱本体部は、開口部を横方向に向けて横方向或いは上下方向に並べて配列された状態で、隣接する箱本体部の側板同士をクリップで挟持することで互いに連結可能となっている、ことが好ましい。この場合には、箱本体部を並べて配置して収納棚や間仕切りとして利用しているときに、箱本体部同士を連結することが可能となり、箱本体部の位置ずれを防止することができる。
【００１１】
クリップは、隣接する箱本体部の側板における底板側の端縁部同士、又は、隣接する箱本体部の側板における開口部側の端縁部同士を挟持可能となっている、ことが好ましい。この場合には、箱本体部を並べて配置して収納棚や間仕切りとして利用しているときに、箱本体部の開口部側、或いは、箱本体部の底板側から、箱本体部同士をクリップによって連結することが可能となる。また、箱本体部同士を底板側からクリップによって連結することで、箱本体部を収納棚等として利用しているときに正面側（開口部側）から見えない場所にクリップが位置することとなり、見栄えが良い。
【００１２】
クリップは、隣接する箱本体部のうち、一方の箱本体部の側板における底板側の端縁部と、他方の箱本体部の側板における開口部側の端縁部と、を挟持可能となっている、ことが好ましい。この場合には、開口部の向きが１８０°異なるようにして配置された箱本体部同士をクリップによって連結することが可能となる。
【００１３】
クリップは、側板の厚さ寸法の略２倍の離間寸法を有する一対の挟持片、及び、挟持片同士を連結する連結片とから成る略コ字状断面の本体部と、一方の挟持片に穿設されたネジ孔に螺入されて側板を押圧する固定用ネジと、を備える、ことが好ましい。この場合には、側板に加工を施すことなく、箱本体部同士をクリップによって連結することができる。
【発明の効果】
【００１４】
本発明によれば、非床下げ領域の面積を容易に変更可能であり、非床下げ領域の面積の変更に用いる部材を有効利用することができる。
【図面の簡単な説明】
【００１５】
【図１】本実施形態に係る居室の床構造において非床下げ領域を拡張した状態を示す上面図である。
【図２】図１におけるＩＩ−ＩＩ線に沿った断面図である。
【図３】箱の構成を示す図である。
【図４】箱本体部によって形成された収納棚を示す上面図である。
【図５】箱本体部によって形成された収納棚を示す斜視図である。
【図６】クリップによって箱本体部同士を連結する様子を示す斜視図である。
【発明を実施するための形態】
【００１６】
以下、図面を参照しつつ、本発明に係る居室の床構造の好適な実施形態について詳細に説明する。
【００１７】
図１及び図２に示すように、建物Ａ内の居間等の居室の床面には、非床下げ部Ｒと、非床下げ部Ｒよりも床面を下げた床下げ部Ｘとが設けられる。また、床下げ部Ｘには、非床下げ部Ｒとの境界部分において階段部Ｚが設けられている。この階段部Ｚ（図４についても参照）は、床下げ部Ｘから階段部Ｚを介して非床下げ部Ｒへ至るまでの間において、蹴上寸法が一定となるように設けられている。
【００１８】
この建物Ａにおいて床構造１は、床下げ部Ｘに配置された複数の箱１０及び複数の箱２０を含んで構成される。なお、図１及び図２は、箱１０及び２０によって、非床下げ領域Ｙを拡張した状態を示している。箱１０は、床下げ部Ｘと非床下げ部Ｒとの間の段差寸法に対応した高さ寸法を有する略直方体形状を成している。箱２０は、階段部Ｚと非床下げ部Ｒとの間の蹴上寸法に対応した高さ寸法を有する略直方体形状を成している。
【００１９】
図３（ａ）に示すように、箱１０は、床下げ部Ｘに設置された状態で上面に開口部１００ａが設けられた箱本体部１００と、開口部１００ａを着脱自在に覆う蓋部１１０と、より構成される。箱本体部１００は、側部を囲う側板１０１と、底板１０２とより構成され、内部に収容部１０３が形成される。特に、図２に示すように、底板１０２は上げ底状に設けられており、底板１０２の下面よりも側板１０１の下端が突出している。
【００２０】
蓋部１１０には、箱本体部１００の開口部１００ａと対向する面において、開口部１００ａの幅に対応する間隔で配置された一対の固定片１１１が設けられている。固定片１１１を蓋部１１０に設けることにより、蓋部１１０によって箱本体部１００の開口部１００ａを覆ったときに、固定片１１１が開口部１００ａに嵌まり込み、蓋部１１０の位置がずれることがない。
【００２１】
また、箱本体部１００の幅寸法又は奥行寸法の少なくともいずれかは、床下げ部Ｘと非床下げ部Ｒとの間の段差寸法に一致している。
【００２２】
図３（ｂ）に示すように、箱２０は、床下げ部Ｘに設置された状態で上面に開口部２００ａが設けられた箱本体部２００と、開口部２００ａを着脱自在に覆う蓋部２１０と、より構成される。箱本体部２００は、側部を囲う側板２０１と、底板２０２とより構成され、内部に収容部２０３が形成される。特に、図２に示すように、底板２０２は上げ底状に設けられており、底板２０２の下面よりも側板２０１の下端が突出している。
【００２３】
蓋部２１０には、箱本体部２００の開口部２００ａと対向する面において、開口部２００ａの幅に対応する間隔で配置された一対の固定片２１１が設けられている。固定片２１１を蓋部２１０に設けることにより、蓋部２１０によって箱本体部２００の開口部２００ａを覆ったときに、固定片２１１が開口部２００ａに嵌まり込み、蓋部２１０の位置がずれることがない。
【００２４】
箱本体部１００の側板１０１の厚さと、箱本体部２００の側板２０１の厚さとは同じとなっている。また、箱１０及び２０は、床下げ部Ｘ及び階段部Ｚに設置された状態で、収容部１０３及び２０３に、荷等を収容可能となっている。
【００２５】
図１及び図２に示すように、箱１０は、箱本体部１００の開口部１００ａが蓋部１１０によって覆われた状態で、床下げ部Ｘにおける階段部Ｚが設けられていない部分に設置される。箱２０は、箱本体部２００の開口部２００ａが蓋部２１０によって覆われた状態で、床下げ部Ｘにおける階段部Ｚが設けられた部分に設置される。
【００２６】
このように、床下げ部Ｘに箱１０及び箱２０を設置することで、床下げ部Ｘにおいて非床下げ部Ｒの床面と同じ床レベルの床面を形成することができる。これにより、非床下げ領域Ｙを拡張することができる。
【００２７】
次に、非床下げ領域Ｙを拡張しない場合における箱１０及び箱２０の利用について説明する。図４及び図５に示すように、箱１０の箱本体部１００と、箱２０の箱本体部２００とが、それぞれの開口部１００ａ及び２００ａを横方向に向けた状態で、横方向及び上下方向に並べて配置される。
【００２８】
図４及び図５では、箱本体部１００及び箱本体部２００の位置を互いに少しずつずらしてランダムに配置する場合を示したが、配置についてはこれに限定されない。また、箱本体部１００及び２００を配置する際に、それぞれの箱本体部１００及び２００の開口部１００ａ及び２００ａの向きを互いに一致させて配置してもよく、図４及び図５に示すように、開口部が一方側を向く箱本体部１００及び２００と、開口部が他方側を向く箱本体部１００及び２００とが混在していてもよい。
【００２９】
このように、箱本体部１００及び２００を、それぞれの開口部１００ａ及び２００ａを横方向に向けて配列することで、箱本体部１００及び２００を収納棚として利用したり、間仕切りとして利用したりすることができる。
【００３０】
また、箱本体部１００の幅寸法又は奥行寸法の少なくともいずれかが、床下げ部Ｘと非床下げ部Ｒとの間の段差寸法に一致していることにより、階段部Ｚが形成されていない床下げ部Ｘに開口部１００ａを横方向に向けて箱本体部１００（図５における箱１００Ａ参照）を設置したときに、箱本体部１００の側板１０１の上面と、非床下げ部Ｒの床面とを同一レベルとすることができる。
【００３１】
これにより、箱本体部１００（１００Ｂ）の側板１０１の上面と、非床下げ部Ｒの床面とを跨るようにして箱本体部１００（図５における箱１００Ｂ参照）を設置した場合であっても、箱本体部１００（１００Ｂ）が傾くことがない。
【００３２】
なお、箱本体部１００に代えて箱本体部２００の幅寸法又は奥行寸法の少なくともいずれかを床下げ部Ｘと非床下げ部Ｒとの間の段差寸法に一致させてもよい。この場合、階段部Ｚが形成されていない床下げ部Ｘに開口部２００ａを横方向に向けて箱本体部２００を設置したときに、箱本体部２００の側板２０１の上面と、非床下げ部Ｒの面とを同一レベルとすることができる。
【００３３】
また、隣接する箱本体部１００同士は、図６に示すように、クリップ３００によって固定することができる。このクリップ３００は、略コ字状断面の本体部３０１と、固定用ネジ３０５とより構成される。
【００３４】
本体部３０１は、箱本体部１００の側板１０１の厚さ寸法の略２倍の離間寸法を有する一対の挟持片３０２と、挟持片３０２同士を連結する連結片３０３とより構成される。また、一対の挟持片３０２のうち、一方の挟持片３０２には、ネジ孔３０４が穿設される。固定用ネジ３０５は、ネジ孔３０４に螺入される。この固定用ネジ３０５の先端は、平坦に形成されると共に、角部の面取りが施されている。
【００３５】
クリップ３００によって箱本体部１００の側板１０１同士を連結する場合、一対の挟持片３０２間に隣接する側板１０１を挟み込み、固定用ネジ３０５をネジ孔３０４にねじ込むことによって、側板１０１を一方の挟持片３０２側に押圧する。
【００３６】
なお、クリップ３００によって、隣接する箱本体部１００の側板１０１における底板１０２側の端縁部同士、又は、隣接する箱本体部１００の側板１０１における開口部１００ａ側の端縁部同士を挟持することができる。また、クリップ３００によって、隣接する箱本体部１００のうち、一方の箱本体部１００の側板１０１における底板１０２側の端縁部と、他方の箱本体部１００の側板１０１における開口部１００ａ側の端縁部とを挟持することもできる。また、上記では、クリップ３００によって箱本体部１００同士を連結する場合を示したが、箱本体部２００同士、或いは、箱本体部１００と箱本体部２００とを連結することもできる。
【００３７】
本実施形態は以上のように構成され、床下げ部Ｘと非床下げ部Ｒとの間の段差寸法に対応した高さ寸法の箱１００を床下げ部Ｘに設置、或は、床下げ部Ｘから除去することで、非床下げ領域Ｒの面積を容易に変更することができる。また、非床下げ領域Ｒの面積を拡張しない場合には、箱本体部１００の蓋部１１０を取り外し、箱本体部１００を、開口部１００ａを横方向に向けて、横方向或いは上下方向に並べて配置することで、非床下げ部Ｒの面積の変更に用いる部材としての箱本体部１００を、収納棚や間仕切りとして有効利用することができ、箱本体部１００の収納スペースの確保が不要となる。
【００３８】
箱２０の高さ寸法を、階段部Ｚの蹴上寸法と一致させることにより、階段部Ｚに箱２０を設置することによって、非床下げ部Ｒの面積を拡張することができる。このように、床下げ部Ｘに階段部Ｚが設けられていても、箱２０の設置或は除去を行うことによって、非床下げ部Ｒの面積を容易に拡張、或いは縮小することができる。この箱２０についても、箱１０と同様に、開口部２００ａを横方向に向けて箱本体部２００を横方向或いは上下方向に並べて配列することで、収納棚や間仕切りとして有効利用することができる。
【００３９】
箱１０及び箱２０における幅寸法又は奥行寸法のうち少なくともいずれかは、床下げ部Ｘと非床下げ部Ｒとの間の段差寸法に対応しているので、箱本体部１００及び２００の開口部１００ａ及び２００ａを横方向に向けて床下げ部Ｘに設置した場合にも、非床下げ部Ｒと床レベルが同じ床面を形成することができる。
【００４０】
箱本体部１００及び２００の側板１０１及び２０１の厚さを同じとし、箱本体部１００及び２００のそれぞれの底板１０２及び２０２を上げ底状に設けるものとした。これにより、箱本体部１００及び２００を並べて配置して収納棚や間仕切りとして利用しているときに、箱本体部１００同士、箱本体部２００同士、或いは箱本体部１００と箱本体部２００とをクリップ３００によって連結することが可能となり、箱本体部１００及び２００の位置ずれを防止することができる。
【００４１】
また、箱本体部１００及び２００を並べて配置して収納棚や間仕切りとして利用しているときに、箱本体部１００及び２００の開口部１００ａ及び２００ａ側、或いは、箱本体部１００及び２００の底板１０２及び２０２側から、箱本体部１００同士、箱本体部２００同士、或いは箱本体部１００と箱本体部２００とをクリップ３００によって連結することが可能となる。
【００４２】
また、底板１０２或いは２０２側から、箱本体部１００同士、箱本体部２００同士、或いは箱本体部１００と箱本体部２００とをクリップ３００によって連結することで、箱本体部１００及び２００を収納棚等として利用しているときに正面側（開口部１００ａ及び２００ａ側）から見えない場所にクリップ３００が位置することとなり、見栄えが良い。
【００４３】
また、開口部１００ａ及び２００ａの向きが１８０°異なるようにして配置された箱本体部１００同士、箱本体部２００同士、或いは箱本体部１００と箱本体部２００とを、クリップ３００によって連結することが可能となる。
【００４４】
クリップ３００の本体部３０１によって箱本体部１００の側板１０１等を挟み込み、固定用ネジ３０５によって側板１０１等を固定する構成であるため、側板１０１及び２０１に連結のための加工を施すことなく、箱本体部１００同士、箱本体部２００同士、或いは箱本体部１００と箱本体部２００とをクリップ３００によって連結することができる。
【００４５】
また、固定用ネジ３０５の先端は、平坦に形成されると共に、角部の面取りが施されているので、固定用ネジ３０５によって箱本体部１００及び２００を連結する際に、箱本体部１００の側板１０１や箱本体部２００の側板２０１に傷等が生じることを抑制することができる。
【００４６】
以上、本発明の一実施形態について説明したが、本発明は、上記実施形態に限定されるものではない。例えば、図１等で示した箱１０及び箱２０の数はこれに限定されない。また、床下げ部Ｘに複数段の階段部が設けられていてもよく、階段部Ｚが設けられていなくてもよい。なお、階段部が複数の段を有する場合には、箱２０を複数段積み上げることにより、非床下げ部Ｒの床面と同じ床レベルの床面を形成することができる。また、床下げ部Ｘにおける階段部Ｚが設けられていない部分において、箱２０を複数段積み上げることにより、非床下げ部Ｒの床面と同じ床レベルの床面を形成してもよい。
【符号の説明】
【００４７】
１…床構造、１０，２０…箱、１００，２００…箱本体部、１００ａ，２００ａ…開口部、１０１，２０１…側板、１０２，２０２…底板、１０３，２０３…収容部、１１０，２１０…蓋部、３００…クリップ、３０１…本体部、３０２…挟持片、３０３…連結片、３０４…ネジ孔、３０５…固定用ネジ、Ｒ…非床下げ部、Ｘ…床下げ部、Ｙ…非床下げ領域、Ｚ…階段部。
【図１】
2014015736.tif 000003
【図２】
2014015736.tif 000004
【図３】
2014015736.tif 000005
【図４】
2014015736.tif 000006
【図５】
2014015736.tif 000007
【図６】
2014015736.tif 000008